(57)【要約】【課題】作業者が通線ロッドの呼び線を直接掴んで取り出せないような狭小なスペ−スにおいても、呼び線を取り出すことが可能なカメラアダプタ−への接続工具の提供【解決手段】基部にフランジ１を設け、先端部バネ力によって開口する挟み爪３を取付け、壁中に連通する空気送入穴４を穿設し、フランジ１の前方部にスライド駒用切欠部５を設けたシリンダ−Ａのスライド駒用切欠部５に、スライド駒６を装着し、シリンダ−Ａに装着した外側スリ−ブ７をスライド駒６に固定し、その後端部とフランジ１の間に装着したバネ８のバネ力によって外側スリ−ブ７の先端部を挟み爪３の基部に突入させ、挟み爪３を閉じた姿勢に保持し、シリンダ−Ａのフランジ１に、中空通線ロッド９の端部に装着され、中空通線ロッド９から送り込まれる空気を受け入れる空気送入穴４’を設けてたアダプタ−Ｂの空気送入穴４’が、シリンダ−Ａの空気送入穴４に連通するように固定している。【選択図】 図２
2005287114.tif 000002
【特許請求の範囲】
【請求項１】
通線ロッドの先端部に装着したカメラヘッド（Ｃ）を取り付けるカメラアダプタ−（Ｋ）への接続工具であって、基部にフランジ（１）を設け、先端充実部（ａ）に切欠部（２）を設け、該切欠部（２）にバネ力によって開口する挟み爪（３）を回動可能に取り付け、壁中に連通する空気送入穴（４）を、前記先端充実部（ａ）の手前で内側に開口（ｂ）するように穿設し、前記フランジ（１）の前方部にスライド駒用切欠部（５）を設けてなるシリンダ−（Ａ）の前記スライド駒用切欠部（５）に、スライド駒（６）を装着し、前記シリンダ−（Ａ）に、外側スリ−ブ（７）を装着し、該外側スリ−ブ（７）を、前記スライド駒（６）に固定し、該外側スリ−ブ（７）の後端部と前記シリンダ−（Ａ）のフランジ（１）の間に、バネ（８）を装着し、該バネ（８）のバネ力によって前記外側スリ−ブ（７）の先端部を前記挟み爪（３）の基部に突入させ、該挟み爪（３）を閉じた姿勢に保持し、前記シリンダ−（Ａ）のフランジ（１）に、中空通線ロッド（９）の端部に装着され、該中空通線ロッド（９）から送り込まれる空気を受け入れる空気送入穴（４’）を設けてなるアダプタ−（Ｂ）を、該アダプタ−（Ｂ）の前記空気送入穴（４’）が、前記シリンダ−（Ａ）の空気送入穴（４）に連通するように固定してなることを特徴とするカメラアダプタ−への接続工具
【発明の詳細な説明】
【技術分野】
【０００１】
本発明は、カメラアダプタ−への接続工具に関するものである。
【背景技術】
【０００２】
既設の電線管の中に、新たな電線・ケ−ブル類を通線する場合には、例えば、一方のマンホ−ルから、先端部にカメラを装着したＦＲＰ製の通線ロッドを、カメラによって、電線管の隙間を探しながら、押し進めていき、他方のマンホ−ルに進出してきた通線ロッドをマンホ−ルから引き出し、通線ロッドに添えていた呼び線に新たな電線・ケ−ブル類を接続したのち、通線ロッドと呼び線を引き戻すという工法によって行われている。
【０００３】
前記工法は、通線ロッドの呼び線を作業者が直接掴んで取り出せる程度のスペ−スが必要であり、このようなスペ−スが確保できない作業環境では、呼び線を引き出すことができないという問題点があった。
【特許文献１】特開平１０−７０８０７号公報
【特許文献２】特開平１０−３４１６３７号公報
【発明の開示】
【発明が解決しようとする課題】
【０００４】
この発明は、背景技術で記述した問題点を解消するためになされたもので、作業者が通線ロッドの呼び線を直接掴んで取り出せないような狭小なスペ−スにおいても、呼び線を取り出すことが可能なカメラアダプタ−への接続工具の提供を目的とするものである。
【課題を解決するための手段】
【０００５】
この発明のカメラアダプタ−への接続工具は、通線ロッドの先端部に装着したカメラヘッドを取り付けるカメラアダプタ−への接続工具であって、基部にフランジを設け、先端充実部に切欠部を設け、該切欠部にバネ力によって開口する挟み爪を回動可能に取り付け、壁中に連通する空気送入穴を、前記先端充実部の手前で内側に開口するように穿設し、前記フランジの前方部にスライド駒用切欠部を設けてなるシリンダ−の前記スライド駒用切欠部に、スライド駒を装着し、前記シリンダ−に、外側スリ−ブを装着し、該外側スリ−ブを、前記スライド駒に固定し、該外側スリ−ブの後端部と前記シリンダ−のフランジの間に、バネを装着し、該バネのバネ力によって前記外側スリ−ブの先端部を前記挟み爪の基部に突入させ、該挟み爪を閉じた姿勢で保持し、前記シリンダ−のフランジに、中空通線ロッドの端部に装着され、該中空通線ロッドから送り込まれる空気を受け入れる空気送入穴を設けてなるアダプタ−を、該アダプタ−の前記空気送入穴が、前記シリンダ−の空気送入穴に連通するように固定していることを特徴とするものである。
【発明の効果】
【０００６】
この発明は上述のように構成されているので、中空通線ロッド９の中空部から圧縮空気を送り込むと、外側スリ−ブ７はバネ８のバネ力に抗して後退し、フランジ１側へ移動して、挟み爪３の基部から離脱し、これにより挟み爪３は拘束を解かれ、挟み爪３が開き、次に圧縮空気を抜くと、外側スリ−ブ７はバネ８のバネ力によって前進し、外側スリ−ブ７の前端部が挟み爪３の基部に突入し、挟み爪３を閉じるように作動するので、圧縮空気を送り込み、挟み爪３を開いた姿勢で、カメラアダプタ−Ｋの連結金具Ｒにアクセスし、連結金具Ｒを挟み爪３に誘い込んだときに、圧縮空気を抜くと、挟み爪３をカメラアダプタ−Ｋの連結金具Ｒに容易に接続させることができる。
【発明を実施するための最良の形態】
【０００７】
作業者が通線ロッドの呼び線を直接掴んで取り出せないような狭小なスペ−スにおいても、呼び線を取り出すことが可能なカメラアダプタ−への接続工具の提供という目的を、中空通線ロッドの中空部から圧縮空気の出し入れを行うことにより、挟み爪を開閉できる機構を採用することにより実現できた。
【実施例】
【０００８】
本発明の実施の一例を図面を参照しながら説明する。図１に示すように、シリンダ−Ａは、基部にフランジ１を設け、先端充実部ａに切欠部２を設け、切欠部２にバネ力によって開口する挟み爪３を回動可能に取り付け、壁中に連通する空気送入穴４を、先端充実部ａの手前で内側に開口ｂするように穿設し、フランジ１の前方部にスライド駒用切欠部５を設けている。
【０００９】
図２に示すように、スライド駒用切欠部５に、スライド駒６を装着し、シリンダ−Ａに、外側スリ−ブ７を装着している。なお、外側スリ−ブ７は、シリンダ−Ａ上を前後に摺動可能である。
【００１０】
外側スリ−ブ７を、スライド駒６に固定し、外側スリ−ブ７の後端部とシリンダ−Ａのフランジ１の間に、バネ８を装着し、バネ８のバネ力によって外側スリ−ブ７の先端部を挟み爪３の基部に突入させ、挟み爪３を閉じた姿勢に保持している。
【００１１】
したがって、外側スリ−ブ７は、スライド駒６と共に移動する。図２において、１０はピストンでスライド駒６に固定されている。空気送入穴４の開口ｂから圧縮空気が送り込まれると、ピストン１０が押されて、シリンダ−Ａのフランジ１側に後退し、連動してスライド駒６が後退し、これに連動して外側スリ−ブ７も後退し、外部スリ−ブ７の先端部は挟み爪３の基部から離脱し、挟み爪３の拘束を解き、挟み爪３は、図２において、点線示しているように、開く。
【００１２】
シリンダ−Ａのフランジ１に、中空通線ロッド９の端部に装着され、中空通線ロッド９から送り込まれる圧縮空気を受け入れる空気送入穴４’を設けてなるアダプタ−Ｂを、アダプタ−Ｂの空気送入穴４’が、シリンダ−Ａの空気送入穴４に連通するように固定している。
【００１３】
実施に際しては、通線ロッドによって所定の狭小スペ−スまで押し込まれたカメラアダプタ−Ｋの二股状の連結金具Ｒを、中空通線ロッド９の中空部から圧縮空気を送り込み、挟み爪３が開いた姿勢（図２において、点線で示している。）で、本願のカメラアダプタ−への接続工具を前記狭小スペ−スに差し込み、モニタに映し出されたカメラアダプタ−Ｋの二股状の連結金具Ｒの位置を確認しながら、二股状の連結金具Ｒを、挟み爪３に誘い込む。
【００１４】
ついで、前記圧縮空気を抜くと、外側スリ−ブ７がバネ８のバネ力によって前進し、外部スリ−ブ７の先端部が挟み爪３の基部に突入し、挟み爪３を閉じ、カメラアダプタ−Ｋの連結金具Ｒを、挟み爪３に閉じ込める。
【産業上の利用可能性】
【００１５】
狭小スペ−スから呼び線を引き出し、該呼び線に電線・ケ−ブル類を接続し、前記狭小なスペ−スから電線・ケ−ブル類を電線管路等に引き込む作業において、前記狭小なスペ−ス部で、カメラアダプタ−側へ添設されている呼び線を捕捉し引き出すための工具として利用できる。
【図面の簡単な説明】
【００１６】
【図１】シリンダ−の実施の一例を示す斜視図
【図２】発明の実施の一例を示す縦断面図
【図３】カメラアダプタ−の一例を示す斜視図
【符号の説明】
【００１７】
１ フランジ
２ 切欠部
３ 挟み爪
４，４’ 空気送入穴
５ スライド駒用切欠部
６ スライド駒
７ 外側スリ−ブ
８ バネ
９ 中空通線ロッド
１０ ピストン
Ａ シリンダ−
Ｂ アダプタ−
ａ 先端充実部
Ｃ カメラ
Ｋ カメラアダプタ−
Ｒ カメラアダプタ−の二股状の連結金具
【図１】
2005287114.tif 000003
【図２】
2005287114.tif 000004
【図３】
2005287114.tif 000005